(57)【要約】【課題】基板に実装されるコネクタに対するワイヤーハーネスの挿抜を容易にする。【解決手段】ライトアングルコネクタ１３は、単独で（すなわち、後述するスペーサ１２を使用せずに）基板１１に実装された場合、ワイヤーハーネス１５の挿抜方向が、基板１１の実装面１１ａと平行な方向となるが、基板１１とライトアングルコネクタ１３との間に所定の形状を有するスペーサ１２を挿入することにより、ライトアングルコネクタ１３に対するワイヤーハーネス１５の挿抜方向を、実装面１１ａに平行な方向及び垂直な方向とは異なる斜め方向（矢印ＡＲ１１で示す方向）に変化させている。【選択図】図１
2007018755.tif 000002
【特許請求の範囲】
【請求項１】
基板と、前記基板に実装される、ワイヤーハーネスを挿抜可能なコネクタとの間に挿入されるスペーサであって、
前記基板と前記コネクタとの間に挿入された場合に、前記コネクタに対する前記ワイヤーハーネスの挿抜方向を、前記基板における前記コネクタの実装面に平行な方向及び垂直な方向とは異なる斜め方向に変化させることを特徴とするスペーサ。
【請求項２】
請求項１に記載のスペーサにおいて、
前記基板と前記コネクタとの間に挿入された場合に、前記コネクタに対する前記ワイヤーハーネスの挿抜方向を、前記実装面に平行な方向から前記斜め方向に変化させることを特徴とするスペーサ。
【請求項３】
ワイヤーハーネスを挿抜可能なコネクタを実装した基板であって、
前記基板と前記コネクタとの間にスペーサを挿入することにより、前記コネクタに対する前記ワイヤーハーネスの挿抜方向を、前記基板における前記コネクタの実装面に平行な方向及び垂直な方向とは異なる斜め方向に変化させることを特徴とする基板。
【請求項４】
基板に実装される、ワイヤーハーネスを挿抜可能なコネクタであって、
前記コネクタに対する前記ワイヤーハーネスの挿抜方向が、前記基板における前記コネクタの実装面に平行な方向及び垂直な方向とは異なる斜め方向であることを特徴とするコネクタ。
【発明の詳細な説明】
【技術分野】
【０００１】
本発明は、基板に実装されるコネクタに対するワイヤーハーネスの挿抜を容易にする技術に関する。
【背景技術】
【０００２】
従来より、ＭＦＰ（Multi Function Peripherals）に代表される電子機器では、各種の電子部品を実装した複数の基板を組合わることにより、所定の機能を実現している。例えば、ＭＦＰにおいては、機器全体の統括制御を行うメイン基板、原稿画像を読み取って画像データを生成する読取部を構成するスキャナ基板、画像データに基づく画像を記録媒体上に記録する記録部を構成するプリンタ基板及び一般公衆電話回線網等の通信回線との接続を制御する通信制御基板等を組み合わせて、ＭＦＰ全体としての機能を実現している。
【０００３】
このような複数の基板の組み合わせは、ワイヤーハーネスを挿抜可能なコネクタを基板に実装し、当該コネクタに挿入したワイヤーハーネスを用いて基板間を電気的に接続することにより実現される。この場合において、コネクタの実装位置は、ワイヤーハーネスの取り回しを容易にするために、基板の端部とすることが多い。
【０００４】
また、ワイヤーハーネスを用いずに基板間を直接接続するボードツーボードコネクタを複数の基板の組み合わせに利用する場合もあるが、ライトアングルタイプのボードツーボードコネクタは、基板の端部に実装する必要がある。
【０００５】
これらの事情により、基板の端部には、多数のコネクタが集中して配置されることが多くなっている。このためＭＦＰのようなコネクタの数が多い電子機器では、基板の端部に必要なコネクタを全て実装することができない場合もあり、基板の端部から離れた中央付近にコネクタを配置して実装することを強いられる場合も出てきている。
【０００６】
一方、ワイヤーハーネスを挿抜可能なコネクタとしては、基板におけるコネクタの実装面に垂直な方向にワイヤーハーネスを挿抜可能なストレートコネクタや、基板におけるコネクタの実装面に平行なワイヤーハーネスを挿抜可能なライトアングルコネクタが用いられている。
【０００７】
ここで、ライトアングルコネクタは、基板の端部に実装することを前提として設計されているため、基板の端部から離れた中央付近にワイヤーハーネスを挿抜可能なコネクタを配置する場合、必然的にストレートコネクタを使用せざるを得ない。
【０００８】
なお、特許文献１は、コネクタとともに用いられるスペーサに関する技術を開示している。
【０００９】
【特許文献１】実開平５−４５９４２号公報
【発明の開示】
【発明が解決しようとする課題】
【００１０】
しかし、ストレートコネクタを用いた場合、当該ストレートコネクタの実装面の上方にある他の基板等とワイヤーハーネスとが接近して物理的な干渉又は電磁的な干渉が起こる場合がある。
【００１１】
一方、この問題を回避するためにライトアングルコネクタを用いた場合、当該ライトアングルコネクタの実装面の他の部品とワイヤーハーネスとが接近して、ワイヤーハーネスの挿抜が困難となる場合がある。
【００１２】
本発明は、これらの問題を解決するためになされたもので、基板に実装されるコネクタに対するワイヤーハーネスの挿抜を容易にすることを目的とする。
【課題を解決するための手段】
【００１３】
上記課題を解決するため、請求項１の発明は、基板と、前記基板に実装される、ワイヤーハーネスを挿抜可能なコネクタとの間に挿入されるスペーサであって、前記基板と前記コネクタとの間に挿入された場合に、前記コネクタに対する前記ワイヤーハーネスの挿抜方向を、前記基板における前記コネクタの実装面に平行な方向及び垂直な方向とは異なる斜め方向に変化させる。
【００１４】
請求項２の発明は、請求項１に記載のスペーサにおいて、前記基板と前記コネクタとの間に挿入された場合に、前記コネクタに対する前記ワイヤーハーネスの挿抜方向を、前記実装面に平行な方向から前記斜め方向に変化させる。
【００１５】
請求項３の発明は、ワイヤーハーネスを挿抜可能なコネクタを実装した基板であって、前記基板と前記コネクタとの間にスペーサを挿入することにより、前記コネクタに対する前記ワイヤーハーネスの挿抜方向を、前記基板における前記コネクタの実装面に平行な方向及び垂直な方向とは異なる斜め方向に変化させる。
【００１６】
請求項４の発明は、基板に実装される、ワイヤーハーネスを挿抜可能なコネクタであって、前記コネクタに対する前記ワイヤーハーネスの挿抜方向が、前記基板における前記コネクタの実装面に平行な方向及び垂直な方向とは異なる斜め方向である。
【発明の効果】
【００１７】
請求項１ないし請求項４の発明によれば、基板に実装されたコネクタに対してワイヤーハーネスを斜め方向に挿抜可能となるので、基板の端部以外にコネクタを実装した場合でもワイヤーハーネスの挿抜が容易となり、ワイヤーハーネスと他の部材との干渉も回避しやすくなる。
【発明を実施するための最良の形態】
【００１８】
＜第１実施形態＞
図１は、本発明の第１実施形態における、基板（電子回路用プリント基板）１１へのライトアングルコネクタ１３の実装状態を示す側面図である。
【００１９】
図１に示すように、基板１１の実装面１１ａ，１１ｂには、ライトアングルコネクタ１３を含む各種の電子部品が半田付けにより実装されている。より具体的には、基板１１においては、表面実装タイプの電子部品１４が、実装面１１ａ，１１ｂに形成されたランド上に載置されて半田付けされるとともに、リードタイプのライトアングルコネクタ１３のリード１３Ｌが、実装面１１ａ，１１ｂを貫通するように形成されたスルーホールに挿入されて半田付けされている。そして、基板１１に実装された各種の電子部品は、基板１１の外層（実装面１１ａ，１１ｂ）及び内層に形成された配線パターンによって電気的に接続され、所定の機能を有する電子回路を構成している。
【００２０】
このような基板１１は、例えば、ＭＦＰ（Multi Function Peripherals）全体の統括制御を行うメイン基板であり、原稿画像を読み取って画像データを生成する読取部を構成するスキャナ基板、画像データに基づく画像を記録媒体上に記録する記録部を構成するプリンタ基板及び一般公衆電話回線網等の通信回線との接続を制御する通信制御基板等と、ライトアングルコネクタ１３に挿抜可能なワイヤーハーネス１５によって電気的に接続されている。なお、図１には、ワイヤーハーネス１５の先端にライトアングルコネクタ１３と嵌合可能なコネクタ１６が取り付けられている例が示されているが、先端にめっき処理等を施したワイヤーハーネス２５を直接ライトアングルコネクタ１３に挿入するような態様の採用も妨げられない。
【００２１】
ライトアングルコネクタ１３は、単独で（すなわち、後述するスペーサ１２を使用せずに）基板１１に実装された場合、図３に示すように、ワイヤーハーネス１５の挿抜方向が、基板１１の実装面１１ａと平行な方向（矢印ＡＲ３１で示す方向）となるが、第１実施形態では、図１に示すように、基板１１とライトアングルコネクタ１３との間に所定の形状を有するスペーサ１２を挿入して、ライトアングルコネクタ１３に対するワイヤーハーネス１５の挿抜方向を、実装面１１ａに平行な方向及び垂直な方向とは異なる斜め方向（矢印ＡＲ１１で示す方向）に変化させている。
【００２２】
このような実装を採用することにより、基板１１では、基板１１の端部以外にライトアングルコネクタ１３を配置した場合でも、ライトアングルコネクタ１３に対するワイヤーハーネス１５の挿抜が容易であるとともに、ワイヤーハーネス１５と基板１１の上の電子部品等との物理的干渉や電気的干渉をも回避しやすくなる。
【００２３】
なお、スペーサ１２の形状は、特に制限されるものではないが、図１には、側面１２ｂが実装面１１ａに接し、側面１２ａがライトアングルコネクタ１３の下面１３ａ（スペーサ１２がなければ実装面１１ａに接する面）に接触するような三角柱形状の部材が例示されている。このような三角柱形状のスペーサ１２を採用した場合、側面１２ａ，１２ｂがなす角は、ライトアングルコネクタ１３に対するワイヤーハーネス１５の挿抜方向を規定するが、この角度は、例えば、１０°以上７０°以下とすることが望ましい。
【００２４】
＜第２実施形態＞
図２は、本発明の第２実施形態における、基板２１へのコネクタ２３の実装状態を示す側面図である。
【００２５】
図２に示すように、基板２１の実装面２１ａ，２１ｂには、コネクタ２３を含む各種の電子部品が半田付けにより実装されている。より具体的には、基板２１においては、表面実装タイプの電子部品２４が、実装面２１ａ，２１ｂに形成されたランド上に載置されて半田付けされるとともに、リードタイプのコネクタ２３のリード２３Ｌが、実装面２１ａ，２１ｂを貫通するように形成されたスルーホールに挿入されて半田付けされている。そして、基板２１に実装された各種の電子部品は、基板２１の外層（実装面２１ａ，２１ｂ）及び内層に形成された配線パターンによって電気的に接続され、所定の機能を有する電子回路を構成している。
【００２６】
このような基板２１は、例えば、ＭＦＰ全体の統括制御を行うメイン基板であり、原稿画像を読み取って画像データを生成する読取部を構成するスキャナ基板、画像データに基づく画像を記録媒体上に記録する記録部を構成するプリンタ基板、及び、一般公衆電話回線網等の通信回線との接続を制御する通信制御基板等と、コネクタ２３に挿入されたワイヤーハーネス２５によって電気的に接続されている。なお、図２には、ワイヤーハーネス２５の先端にコネクタ２３と嵌合可能なコネクタ２６が取り付けられている例が示されているが、先端にめっき処理等を施したワイヤーハーネス２５を直接コネクタ２３に挿入するような態様の採用も妨げられない。
【００２７】
コネクタ２３は、コネクタ２３に対するワイヤーハーネス２５の挿抜方向が、実装面２１ａ，２１ｂに平行な方向及び垂直な方向とは異なる斜め方向（矢印ＡＲ２１で示す方向）となるような形状に形成されている。
【００２８】
このようなコネクタ２３を採用することにより、基板２１では、基板２１の端部以外にコネクタ２３を配置した場合でも、コネクタ２３に対するワイヤーハーネス２５の挿抜が容易であるとともに、ワイヤーハーネス２５と基板２１の上の電子部品等との物理的干渉や電気的干渉をも回避しやすくなる。
【００２９】
＜変形例＞
上述の実施形態では、基板１１，２１の両面に電子部品が実装される例を示したが、基板の片面のみに電子部品が実装される場合にも本発明を適用可能であることはもちろんである。また、上述の実施形態では、基板に実装されるライトアングルコネクタ１３又はコネクタ２３が１個である場合を示したが、２個以上のライトアングルコネクタ１３又はコネクタ２３が基板に実装されてもよい。
【図面の簡単な説明】
【００３０】
【図１】本発明の第１実施形態における、基板１１へのライトアングルコネクタ１３の実装状態を示す側面図である。
【図２】本発明の第２実施形態における、基板２１へのコネクタ２３の実装状態を示す側面図である。
【図３】ライトアングルコネクタ１３を基板１１に単独で実装した場合の、基板１１へのライトアングルコネクタ１３の実装状態を示す側面図である。
【符号の説明】
【００３１】
１１，２１  基板
１１ａ，１１ｂ，２１ａ，２１ｂ  実装面
１２  スペーサ
１３  ライトアングルコネクタ
１５，２５  ワイヤーハーネス
２３  コネクタ
ＡＲ１１，ＡＲ２１，ＡＲ３１  挿抜方向
【図１】
2007018755.tif 000003
【図２】
2007018755.tif 000004
【図３】
2007018755.tif 000005